(57)【要約】【課題】編地に厚みを持たせることができ、かつ伸縮し難い振り柄を編成することができる編地の編成方法を提供する。【解決手段】ＦＢの編幅方向に連続して並ぶ複数の起点編目２，３，４を選択し、その選択した各起点編目２，３，４に対して連続的に割増しを行なう（工程α）。割増しによってＢＢに目移しされた起点編目２，３，４を、ＦＢにおいて割増しによって形成される新規編目９，８，７よりも左方にある左方編目８，７，６、または右方にある右方編目１０，９，８に重ね合わせ、起点編目２，３，４を左方または右方に傾ける（工程β）。ＦＢに形成される各重ね目８；２，７；３，６；４のウエール方向に連続する止め編目１３，１４，１５を編成し、重ね目８；２，７；３，６；４を固定する（工程γ）。【選択図】図３
2014148764.tif 000002
【特許請求の範囲】
【請求項１】
少なくとも前後一対の針床を備え、前後いずれかの針床が左右にラッキング可能で、かつ前後の針床間で編目の目移しが可能な横編機を用いて、編幅方向の左方または右方に傾いた編目を含む振り柄を編成する編地の編成方法において、
一方の針床に係止されるベース編目列のうち、編幅方向に連続して並ぶ複数の起点編目を選択し、その選択した各起点編目に対して連続的に割増しを行なう工程αと、
前記割増しによって他方の針床に目移しされた起点編目を、前記一方の針床において下記条件Ｉを満たす新規編目よりも左方にある左方編目、または右方にある右方編目に重ね合わせ、前記起点編目を左方または右方に傾ける工程βと、
工程βで一方の針床に形成される各重ね目のウエール方向に連続する止め編目を編成し、前記重ね目を固定する工程γと、
を行なうことで振り柄を編成することを特徴とする編地の編成方法。
（条件Ｉ）…前記割増しによって前記起点編目から引き出された状態で前記一方の針床に形成される編目。
【請求項２】
前記工程α〜前記工程γを複数回繰り返し、その繰り返しに含まれる全ての工程βで前記起点編目を前記左方編目に重ねる左寄せユニットの編成と、
前記工程α〜前記工程γを複数回繰り返し、その繰り返しに含まれる全ての工程βで前記起点編目を前記右方編目に重ねる右寄せユニットの編成と、を
予め決定しておいた編地のパターン図に従って行なうことを特徴とする請求項１に記載の編地の編成方法。
【請求項３】
前側編地部と後側編地部とを備える筒状編地を編成する際、
前記前側編地部と前記後側編地部のいずれか一方にのみ前記振り柄を編成することを特徴とする請求項１または２に記載の編地の編成方法。
【請求項４】
少なくとも前後一対の針床を備え、前後いずれかの針床が左右にラッキング可能で、かつ前後の針床間で編目の目移しが可能な横編機を用いて編成された編幅方向の左方または右方に傾いた編目を含む振り柄を備える編地において、
前記振り柄は、天竺組織で形成され、
編幅方向に連続して並ぶ複数の起点編目と、
各起点編目に対して割増やしを行なうことで形成された新規編目と、
を備え、
前記起点編目は、前記新規編目の編幅方向の左方にある左方編目、または右方にある右方編目に重ね合わされており、かつ
前記起点編目と、前記左方編目または前記右方編目と、からなる重ね目のウエール方向に連続して形成される止め編目によって前記重ね目が固定されていることを特徴とする編地。
【発明の詳細な説明】
【技術分野】
【０００１】
本発明は、編幅方向の左方または右方に傾いた編目を含む振り柄を編成する編地の編成方法、およびその編地の編成方法によって編成された振り柄を有する編地に関する。
【背景技術】
【０００２】
従来から横編機を用いて種々の柄を編地に形成することが行なわれている。例えば、特許文献１には、編幅方向の左方または右方に傾いた編目を含む振り柄を編成する技術が開示されている。
【０００３】
特許文献１では、振り柄を編成するにあたり、いわゆるリブ編みを利用している。具体的には、特許文献１の実施形態では、まず一方の針床に係止されるベース編目列の一つ置きの編目を他方の針床に移し、一方の針床と他方の針床との相対的な位置を第１のラッキングによりずらしている（特許文献１の図２の編成コース１〜３を参照）。つまり、この操作により、ベース編目列を構成する編目の編幅方向の並びが入れ換えられる。次に、編目の位置を入れ換えたベース編目列のウエール方向に続いて新たな編目列Ｐを編成する（編成コース３を参照）。このとき、ベース編目列は一方の針床と他方の針床に振り分けられているので、編目列Ｐはリブ編みによって編成される。次いで、ベース編目列の編目の並びが第１のラッキングの前の状態に戻るように第２のラッキングを行ない、編目列Ｐのうちの他方の針床に係止される編目を一方の針床に目移ししている（編成コース４を参照）。つまり、この操作により、編目列Ｐを構成する編目の編幅方向の並びが入れ換えられ、編目が傾いた状態になる。最後に、編目列Ｐのウエール方向に続いてさらに編目列Ｑを編成し、編目列Ｐの編目が傾斜した状態を固定している（編成コース７、図３の編成コース８を参照）。
【０００４】
上記特許文献１の振り柄を有する編地の編成方法によれば、振り柄の形成にリブ編成を利用しているため、振り柄による編地のデザイン性の向上の他に、編地に厚みを持たせることができる。例えば、ニットウェアや、車のシートカバーなどの厚みを要求される編地の編成に、特許文献１の編成方法を好適に利用できる。
【先行技術文献】
【特許文献】
【０００５】
【特許文献１】国際公開第２００９／０７２６１７号
【発明の概要】
【発明が解決しようとする課題】
【０００６】
ここで、特許文献１の編成方法では、リブ編みを利用していることによって編地に厚みを持たせることができる反面、編地における振り柄の部分が編幅方向に伸縮し易く、そのことが問題となる場合がある。例えば、ニットウェアと着用者との間、あるいは車のシートとシートカバーとの間のサイズ差が大きくなると、振り柄の部分が伸びてしまい、振り柄のデザインが崩れたり、厚みが薄くなったりすることがある。
【０００７】
本発明は上記事情に鑑みてなされたもので、その目的の一つは、編地に厚みを持たせることができ、かつ伸縮し難い振り柄を編成することができる編地の編成方法、および編地を提供することにある。
【課題を解決するための手段】
【０００８】
本発明は、少なくとも前後一対の針床を備え、前後いずれかの針床が左右にラッキング可能で、かつ前後の針床間で編目の目移しが可能な横編機を用いて、編地のウエール方向に対して編目が傾斜することで形成される振り柄を編成する編地の編成方法であって、以下の工程α〜工程γを行なうことで振り柄を編成することを特徴とする。
［工程α］…一方の針床に係止されるベース編目列のうち、編幅方向に連続して並ぶ複数の起点編目を選択し、その選択した各起点編目に対して連続的に割増しを行なう。
［工程β］…割増しによって他方の針床に目移しされた起点編目を、一方の針床において下記条件Ｉを満たす新規編目よりも左方にある左方編目、または右方にある右方編目に重ね合わせ、起点編目を左方または右方に傾ける。
（条件Ｉ）…割増しによって起点編目から引き出された状態で一方の針床に形成される編目。
［工程γ］…工程βで一方の針床に形成される各重ね目のウエール方向に連続する止め編目を編成し、重ね目を固定する。
【０００９】
上記一連の工程によって、起点編目を重ねた編目が、起点編目を寄せた方向と反対方向に傾き、編地に振り柄が形成される。つまり、左方編目は右方に、右方編目は左方に傾く。起点編目を寄せた方向と、起点編目を重ねた編目の傾く方向と、が逆になるのは、起点編目が寄せる前の位置に戻ろうとすることで、起点編目が起点編目を重ねた編目を引っ張るからである。
【００１０】
ここで、割増しとは、一方の針床に係止される起点編目を他方の針床に目移しすると共に、その起点編目から引き出される新規編目を一方の針床に形成する公知の編成動作である（特許第２６０４６５３号公報などを参照）。例えば、前針床の編針Ｘに起点編目が係止されている場合、その起点編目に対して割増しを行なえば、起点編目は後針床の編針Ｙ（編針Ｘに対向する編針）に移動し、編針Ｘには起点編目から引き出される新規編目が形成される。
【００１１】
また、左方編目（右方編目）は、新規編目から１〜３目程度左方（右方）にある編目である。ここで、起点編目を重ね合わせる左方編目（右方編目）は、その起点編目とは別の起点編目と対をなす新規編目であっても良い。例えば、編幅方向の左側から順に並ぶ起点編目を起点編目Ｘ，Ｙ，Ｚ、割増しによって各起点編目Ｘ，Ｙ，Ｚから引き出される新規編目を新規編目ｘ，ｙ，ｚとしたとき、起点編目Ｙを重ね合わせる左方編目（右方編目）としては新規編目ｘ（ｚ）もしくは新規編目ｘ（ｚ）よりも左方（右方）にある編目を挙げることができる。
【００１２】
本発明の編地の編成方法の一形態として、下記左寄せユニットの編成と右寄せユニットの編成とを予め決定しておいた編地のパターン図に従って行なう形態を挙げることができる。
［左寄せユニットの編成］…工程α〜工程γを複数回繰り返し、その繰り返しに含まれる全ての工程βで起点編目を左方編目に重ねる。
［右寄せユニットの編成］…工程α〜工程γを複数回繰り返し、その繰り返しに含まれる全ての工程βで起点編目を右方編目に重ねる。
【００１３】
ここで、起点編目を左方編目に重ねた左寄せユニットは、右方に傾いた状態となる。これは、左方編目に重ねるために左方に寄せた起点編目が元の位置に戻ろうとして左方編目を右方に引っ張るからである。同様に、右寄せユニットも、起点編目を寄せる方向である右方とは逆の左方に傾いた状態になる。
【００１４】
本発明の編地の編成方法の一形態として、前側編地部と後側編地部とを備える筒状編地を編成する際、前側編地部と後側編地部のいずれか一方にのみ振り柄を編成する形態を挙げることができる。
【００１５】
また、本発明は、少なくとも前後一対の針床を備え、前後いずれかの針床が左右にラッキング可能で、かつ前後の針床間で編目の目移しが可能な横編機を用いて編成された編幅方向の左方または右方に傾いた編目を含む振り柄を備える編地に係る。この本発明の編地の振り柄は、天竺組織で形成され、編幅方向に連続して並ぶ複数の起点編目と、各起点編目に対して割増やしを行なうことで形成された新規編目と、を備える。起点編目は、新規編目の編幅方向の左方にある左方編目、または右方にある右方編目に重ね合わされている。また、起点編目と、左方編目（または右方編目）と、からなる重ね目のウエール方向に連続して形成される止め編目によって重ね目が固定されていることを特徴とする。
【発明の効果】
【００１６】
本発明の編地の編成方法によれば、本発明の編地を編成することができる。この本発明の編地では、割増しの対象となる起点編目が存在し、その起点編目が編幅方向の左方（右方）に寄せられた状態で左方編目（右方編目）に重ねられて固定されている。そのため、振り柄の編幅方向の伸びが拘束されるため、振り柄のデザインが崩れ難く、また振り柄の厚みが薄くなり難い。
【００１７】
左寄せユニットと右寄せユニットとを所定のパターン図に従って編成する本発明の編地の編成方法によれば、編地のデザイン性を向上させることができる。例えば、パターン図を工夫すれば、後述する実施形態１の図１に示すように波模様の編地や、市松模様の編地を編成することができる。
【００１８】
筒状編地の前側編地部と後側編地部の一方にのみ振り柄を編成する本発明の編地の編成方法によれば、筒状編地の全体的な伸縮性を向上させることができる。例えば、車のシートカバーなどは、シートへの装着性が良いことが求められる。シートカバーの前側編地部と後側編地部の両方に、本発明の編成方法による振り柄が形成されていた場合、振り柄の部分が伸び難いため、シートカバーの装着性が悪くなる恐れがある。これに対して、座面となるシートカバーの前側編地部に振り柄を形成することで座面のデザイン性と厚みを確保し、後側編地部に振り柄を形成しないことでシートカバーをシートに装着する際に後側編地部が伸びるようにし、シートカバーの装着性を良くすることができる。
【図面の簡単な説明】
【００１９】
【図１】実施形態１の編地の部分拡大写真を示す図である。
【図２】図１に示す振り柄の形成状態を示す模式図である。
【図３】振り柄の編成工程図である。
【図４】振り柄のループ図である。
【図５】実施形態２の編地の部分拡大写真を示す図である。
【図６】図５に示す振り柄の形成状態を示す模式図である。
【発明を実施するための形態】
【００２０】
以下、本発明の編地の編成方法の実施形態を図面に基づいて説明する。実施形態では、左右方向に延び、かつ、前後方向に互いに対向する前針床（以下、ＦＢ）と後針床（以下、ＢＢ）を備え、ＢＢが左右にラッキング可能な２枚ベッド横編機を用いた編成例を説明する。もちろん、使用する横編機は、２枚ベッド横編機に限定されるわけではなく、４枚ベッド横編機であっても良い。
【００２１】
＜実施形態１＞
≪全体構成≫
図１の写真に示す本実施形態の編地は、図２の模式図に示すように、左寄せユニット１０１と、右寄せユニット１０２と、を組み合わせることで、全体的に波模様が形成された編地１００である。左寄せユニット１０１は、編幅方向の左方に寄せた起点編目（起点編目については後述する）を有する振り柄であって、全体的に右方に傾いた状態となっている。一方、右寄せユニット１０２は、編幅方向の右方に寄せた起点編目を有する振り柄であって、全体的に左方に傾いた状態となっている。編地１００における左寄せユニット１０１と右寄せユニット１０２以外の部分は非振り柄部１０３であって、例えば天竺編みによって編成されている。
【００２２】
上記編地１００を編成するには、予め左寄せユニット１０１と右寄せユニット１０２の配置状態を決定しておいたパターン図に従って編成プログラムを作成しておけば良い。以下、図３の編成工程図、および図４のループ図を参照して左寄せユニット１０１の編成手順を説明する。なお、パターン図は、両ユニット１０１，１０２をどのように組み合わせるかによってほぼ無限に存在するといって良い。例えば、左寄せユニット１０１あるいは右寄せユニット１０２のみでパターン図を形成しても良い。
【００２３】
≪編成手順≫
図３は、左寄せユニット（振り柄）を編成する手順を示す編成工程図である。図中の左欄の「Ｓ＋数字」は編成工程の番号を示し、右欄には各編成工程における編目の係止状態が示されている。右欄の黒点はＦＢおよびＢＢに備わる編針、○は旧編目、●は各編成工程で新たに編成される編目、◎は重ね目、矢印は編目の目移しの方向を示す。また、右欄の大文字アルファベットＡ〜Ｋは編針の位置を示す。一方、図４は、図３の編成工程に従って編成された左寄せユニット１０１近傍のループ図である。
【００２４】
Ｓ１には、ＦＢの編針Ｊ，Ｈ，Ｆ，Ｄ，Ｂに編目１，２，３，４，５が係止された状態が示されている。これをベース編目列とする。このベース編地列のうち、編目（起点編目）２，３，４のウエール方向に連続して左寄せユニット１０１を編成していく。
【００２５】
Ｓ２では、編幅方向の右方（紙面右方）に給糸口を移動させる間に、編目５，１のウエール方向に連続する編目６，１０を編成すると共に、起点編目２，３，４に対して割増しを行なう（本発明の工程α相当）。割増しによって、Ｓ１においてＦＢの編針Ｈ，Ｆ，Ｄに係止されていた起点編目２，３，４は、ＢＢの編針Ｈ，Ｆ，Ｄに目移しされると共に、ＦＢの編針Ｈ，Ｆ，Ｄには編目（新規編目）９，８，７が形成される。新規編目９，８，７はそれぞれ、起点編目２，３，４から引き出された状態で形成される編目である（図４を合わせて参照）。
【００２６】
Ｓ３では、ＢＢに目移しされた起点編目２，３，４を、ＦＢにおいて起点編目２，３，４に相対する新規編目９，８，７よりも左方にある左方編目に重ね合わせる（本発明の工程β相当、図４を合わせて参照）。ここで、本実施形態における編目２、編目３、および編目４を重ねる左方編目はそれぞれ、編目８、編目７、及び編目６である。左方編目８は、起点編目３に割増しを行なうことで形成される新規編目でもあり、左方編目７は、起点編目４に割増しを行なうことで形成される新規編目でもある。
【００２７】
Ｓ４では、編幅方向の左方に給糸口を移動させる間に、編目１０，９および重ね目８；２，７；３，６；４のウエール方向に続く編目１１，１２，１３，１４，１５を編成する（本発明の工程γ相当）。これら編目１１〜１５のうち、編目１３，１４，１５はそれぞれ、重ね目８；２，７；３，６；４を固定する止め編目として機能する（図４を合わせて参照）。
【００２８】
Ｓ５では、編幅方向の右方に給糸口を移動させる間に、編目１５，１４，１３，１２，１１のウエール方向に続く編目１６，１７，１８，１９，２０を編成する。以降は、これらの編目１６，１７，１８，１９，２０を新たなベース編目列と規定し、Ｓ２〜Ｓ５と同様の編成を繰り返す。参考までにＳ２〜Ｓ４に相当する編成をＳ６〜Ｓ８に示す。Ｓ６〜Ｓ８はそれぞれ、編成方向がＳ２〜Ｓ４とは逆である以外、Ｓ２〜Ｓ４と同じことを行なっている。
【００２９】
なお、Ｓ５の編成は、Ｓ６〜Ｓ８の編成を行ない易くするための編成であって省略することができる。Ｓ５を省略する場合、Ｓ４の編目１１〜１５をベース編目列と規定すれば良い。
【００３０】
以上説明した図３に示す編成工程に従えば、図１，２に示す左寄せユニット１０１を編成することができる。右寄せユニット１０２は、図３のＳ３（Ｓ７）で編幅方向の右方に起点編目２，３，４を目移しすることで編成できる。その場合、編目２、編目３、および編目４を重ねる右方編目はそれぞれ、編目１０、編目９、および編目８である。
【００３１】
≪編地≫
図４に示すように、左寄せユニット１０１では、編幅方向に並ぶ起点編目２，３，４がそれぞれ、編幅方向の左方に位置する左方編目８，７，６に重ねられ、止め編目１３，１４，１５によって固定されている。ここで、左方に寄せられた起点編目２，３，４は、元の位置、つまり寄せられた方向と反対の右方に戻ろうとする。そのため、起点編目２，３，４が重ねられる左方編目８，７，６が右方に引っ張られ、右方に傾いた状態になる。左方編目８，７，６は編地の表面側に配置されているため、左寄せユニット１０１は外観上右方に傾いた状態になる（図１，２を合わせて参照）。
【００３２】
上記左寄せユニット１０１に重ね目が形成されることで、左寄せユニット１０１に厚みが出るし、左寄せユニット１０１における編目の動きが拘束されるため、左寄せユニット１０１の伸縮性が抑えられる。なお、右寄せユニット１０２についても、左寄せユニット１０１と同様のことが言える。
【００３３】
＜実施形態２＞
実施形態２では、図５の写真に示す市松模様が形成された編地の編成方法を説明する。
【００３４】
図５の写真に示す本実施形態の編地は、図６の模式図に示すように、左寄せユニット１０１と、右寄せユニット１０２と、非振り柄部１０３と、を組み合わせて編成された編地１００’である。この編地１００’は、チェス盤状のパターン図を用いて編成される。具体的には、チェス盤の黒マス（図６のクロスハッチング部を参照）の位置に左寄せユニット１０１または右寄せユニット１０２を配置し、白マスの位置に非振り柄部１０３を配置したパターン図を作成する。さらに、そのパターン図では、任意の左寄せユニット１０１に近接する黒マスの位置には右寄せユニット１０２が配置されるようにする。なお、パターン図のマス目が正方形であって、図５，６に示す実際の編地１００’では、起点編目の傾きによってユニット１０１，１０２および非振り柄部１０３は歪んで平行四辺形になる。
【００３５】
＜用途＞
本発明の編地の編成方法を適用する編地としては、例えば、ニットウェアや車のシートカバー、あるいはタペストリーやコースター、テーブルクロスなどのインテリア小物などを挙げることができる。特に、筒状のシートカバーなどに本発明の編地の編成方法を適用する場合、シートカバーの座面となる前側編地部に振り柄を形成し、背面となる後側編地部には振り柄を形成しないことが好ましい。そうすることで、座面のデザイン性と厚みを保持しつつ、シートカバーの装着性を向上させることができる。シートカバーの装着性が良いのは、シートカバーをシートに装着する際、振り柄が無い背面が伸びるからである。
【符号の説明】
【００３６】
１００，１００’  編地
１０１  左寄せユニット  １０２  右寄せユニット  １０３  非振り柄部
１〜２０  編目
２〜４  編目（起点編目）
７〜９  編目（新規編目）
６〜８  編目（左方編目）
８〜１０  編目（右方編目）
１３〜１５  編目（止め編目）
８；２，７；３，６；４  重ね目
【図２】
2014148764.tif 000003
【図３】
2014148764.tif 000004
【図４】
2014148764.tif 000005
【図６】
2014148764.tif 000006
【図１】
2014148764.tif 000007
【図５】
2014148764.tif 000008